(57)【要約】      （修正有）【課題】超音波発振装置が接触する部分の温度を可及的に低くし、超音波発振装置の製品寿命を長くすることで、低ランニングコストで使用可能なスチーム浴装置を提供する。【解決手段】抽出対象物と抽出溶媒とを収容する容器２０と、容器２０に付設されスチームを発生させる加熱手段４０と、容器２０に連通路２９を介して連通して設けられ、容器２０に抽出溶媒を供給する抽出溶媒補給容器６０を備え、連通路２９の中途部には、抽出溶媒補給容器６０から供給される抽出溶媒を一旦貯留した後、抽出溶媒を容器２０に供給する抽出溶媒貯留部９０が配設され、抽出溶媒貯留部９０内には、超音波発振装置５０が配設され、抽出溶媒貯留部９０の上面には仕切板９２が配設され、仕切板９０の上側空間は容器内と連絡ダクト２９を介して連通する溶液流入部９４に形成されていることを特徴とする。【選択図】図１
2009034298.tif 000002
【特許請求の範囲】
【請求項１】
抽出対象物と抽出溶媒とを収容する容器と、
該容器に付設され、前記抽出対象物と前記抽出溶媒とを加熱して抽出溶液を生成し、該抽出溶液を加熱してスチームを発生させる加熱手段と、
前記容器に連通路を介して連通して設けられ、前記容器に前記抽出溶媒を供給する抽出溶媒補給容器と、を備えたスチーム浴装置であって、
前記連通路の中途部には、前記抽出溶媒補給容器から供給される抽出溶媒を一旦貯留した後、抽出溶媒を前記容器に供給する抽出溶媒貯留部が配設され、
該抽出溶媒貯留部内には、少なくとも外表面の一部があらわれる状態に超音波発振装置が配設され、
前記抽出溶媒貯留部の上面には仕切板が配設され、
該仕切板の上側空間は前記容器内と連絡ダクトを介して連通する溶液流入部に形成されていることを特徴とするスチーム浴装置。
【請求項２】
前記超音波発振装置により生成された抽出溶液のミストを外部に送り出すための送風ファンをさらに有していることを特徴とする請求項１記載のスチーム浴装置。
【請求項３】
前記容器には前記加熱手段を囲む筒体が配設されていて、該筒体は少なくとも前記容器内の抽出溶液の液面より上側部分が徐々に拡径するテーパー状に形成されていることを特徴とする請求項１または２記載のスチーム浴装置。
【請求項４】
前記連絡ダクトの上端部高さ位置は、前記筒体の上端部高さ位置と同じ高さ位置に設けられていることを特徴とする請求項３記載のスチーム浴装置。
【請求項５】
前記筒体は、遠赤外線を放出するセラミックス材により形成されていることを特徴とする請求項３または４記載のスチーム浴装置。
【発明の詳細な説明】
【技術分野】
【０００１】
本発明はスチーム浴装置に関し、より詳細には抽出溶液をミスト化する超音波発振装置を長寿命にすることができ、低ランニングコストで使用することが可能なスチーム浴装置に関する。
【背景技術】
【０００２】
お湯にハーブ等の薬草を浸漬してハーブ成分を溶出した溶液をスチーム化し、ハーブ成分を含むスチームを身体に浴することによりリラックス効果等を得るためのスチーム浴装置が提供されている。
【特許文献１】特開２００５−２７０５６６号公報
【発明の開示】
【発明が解決しようとする課題】
【０００３】
特許文献１には、鍋に水とハーブを入れて、鍋を加熱することによりハーブ成分を溶出した水蒸気を供給するスチーム浴装置が開示されている。このような水蒸気の供給方法であると、鍋の中の水が加熱されるまでにかなりの時間が必要になり、実際にスチーム浴をする時間が短くなってしまうため、近年では、超音波発振装置を付加して、超音波振動により溶液をミスト化してハーブ成分を含むミストおよび水蒸気を供給することが可能な複合型のスチーム浴装置も提供されている。
【０００４】
このように、溶液を収容する容器に加熱手段と超音波発振装置を配設することにより、一旦ハーブ成分が抽出された溶液であれば、溶液が冷めた状態であっても短時間のうちにハーブ成分を含むミストを供給することができる点で有用である。しかしながら、超音波発振装置は高温条件下では極端に製品寿命が短くなってしまうという課題がある。したがってスチーム浴装置において特に高温になる容器内に加熱手段と超音波発振装置を併設した場合には、加熱手段からの熱により超音波発振装置の劣化が進み、超音波発振装置の交換頻度が高くなってしまうことから、スチーム浴装置のランニングコストが高騰してしまうといった課題がある。
【０００５】
そこで本発明は、加熱手段と超音波発振装置を用いた複合型のスチーム浴装置において、超音波発振装置が接触する部分の温度を可及的に低くすることにより、超音波発振装置の製品寿命を長くすることで、低ランニングコストで使用可能なスチーム浴装置の提供を目的としている。
【課題を解決するための手段】
【０００６】
すなわち本発明は、抽出対象物と抽出溶媒とを収容する容器と、該容器に付設され、前記抽出対象物と前記抽出溶媒とを加熱して抽出溶液を生成し、該抽出溶液を加熱してスチームを発生させる加熱手段と、前記容器に連通路を介して連通して設けられ、前記容器に前記抽出溶媒を供給する抽出溶媒補給容器と、を備えたスチーム浴装置であって、前記連通路の中途部には、前記抽出溶媒補給容器から供給される抽出溶媒を一旦貯留した後、抽出溶媒を前記容器に供給する抽出溶媒貯留部が配設され、該抽出溶媒貯留部内には、少なくとも外表面の一部があらわれる状態に超音波発振装置が配設され、前記抽出溶媒貯留部の上面には仕切板が配設され、該仕切板の上側空間は前記容器と連絡ダクトを介して連通する溶液流入部に形成されていることを特徴とするスチーム浴装置である。
【０００７】
また、前記超音波発振装置により生成された抽出溶液のミストを外部に送り出すための送風ファンをさらに有していることを特徴とする。これによりミストを確実に外部に送り出すことができる。
【０００８】
また、前記容器には前記加熱手段を囲む筒体が配設されていて、該筒体は少なくとも前記容器内の抽出溶液の液面より上側部分が徐々に拡径するテーパー状に形成されていることを特徴とする。これにより、加熱手段により抽出溶液を短時間でスチーム化することができ、抽出溶液のスチームを広範囲に拡散させて外部に供給することができる。
また、前記連絡ダクトの上端部高さ位置は、前記筒体の上端部高さ位置と同じ高さ位置に設けられていることを特徴とする。これにより、ミストと抽出溶液のスチームとを良好な状態で混合することができる。
さらに、前記筒体は、遠赤外線を放出するセラミックス材により形成されていることを特徴とする。これにより、抽出溶媒のスチームに遠赤効果を付与することができる。
【発明の効果】
【０００９】
本発明によるスチーム浴装置によれば、超音波発振装置が抽出溶媒補給容器から供給される室温に近い溶媒が貯留されている抽出溶媒貯留部に配設されているので、超音波発振装置が高温条件下に直接晒されることがなく、超音波発振装置の劣化を可及的に抑えることができる。また、抽出溶媒貯留部の溶媒は、容器内で加熱された抽出溶液により適度に加熱された後に、容器に流入するように設けられているので、スチーム浴装置において発生し、従来は処理に困っていた熱エネルギーを再利用することができる。
このように、超音波発振装置の交換頻度を少なくすることが可能になると共に、熱エネルギーの循環が可能になるため、従来のスチーム浴装置に比べて低ランニングコストで運用することが可能になる。
【発明を実施するための最良の形態】
【００１０】
以下、添付図面に基づいて本発明の最良の実施形態を詳細に説明する。図１は、本実施の形態におけるスチーム浴装置の平面図である。図２は、本実施形態におけるＣ−Ｃ断面位置を示す平面図である。図３は、図１中のＡ−Ａ線における断面図である。図４は、図１中のＢ−Ｂ線における断面図である。図５は、図２中のＣ−Ｃ線における断面図である。図３〜図５は、いずれもスチーム浴装置の蓋が閉じられた状態における断面図が示されている。
図１，図２に示すスチーム浴装置１０は、容器２０に収容されている抽出対象物３２と図示しない抽出溶媒を加熱手段４０により加熱し、抽出対象物３２の成分を含むスチームを生成すると共に、超音波発振装置５０により抽出対象物３２の成分を含むミストを生成するものである。容器２０には容器２０とは別体に設けられた抽出溶媒補給容器６０により抽出溶媒が補充可能になっている。容器２０、加熱手段４０、超音波発振装置５０、抽出溶媒補給容器６０は筐体１２に収容されている。容器２０の上部には水平方向に回動自在な蓋２６が配設されている。
【００１１】
また、図３に示すように、容器２０は、容器２０の高さ方向における断面形状が略Ｕ字状をなすと共に平面視形状が円形のなべ型に形成されている。容器２０には抽出対象物３２を収容するための収容部２２と、抽出溶媒補給容器６０から補給される抽出溶媒を容器２０に取り込むための取込部２３が形成されている。
容器２０に収容される抽出対象物３２は、メッシュ状の袋体に入れられることが多いため、収容部２２としては板バネが好適に用いられる。抽出溶媒補給容器６０と容器２０とは連通路７０により連通しており、抽出溶媒補給容器６０から一旦流出した抽出溶媒は、自然流下により連通路７０を介して容器２０に流入可能になっている。
【００１２】
容器２０の上部には、容器１０の上側開口部を覆うようにして遠赤外線放出プレート２４が配設されている。遠赤外線放出プレート２４には図示しない凹溝が形成されていて、凹溝に線状のヒーター２４Ａが埋設されている。遠赤外線放出プレート２４は遠赤セラミックス材により形成されている。遠赤外線放出プレート２４には板厚方向に貫通する貫通孔（図示せず）が所要間隔をあけて配設されているので、容器２０から容器２０の外部の放出されるスチームおよびミストが貫通孔を通過する際に、遠赤外線効果と熱を付与することができる。
また、容器２０の側壁部分には連絡ダクト２９が配設されていて、容器２０は後述する溶液流入部９４に連通されている。
本実施形態においては抽出対象物３２と抽出溶媒として、それぞれハーブと水を用いている。以下、ハーブ３２、水として説明する。
【００１３】
図１，図２に示すように、容器２０の底部にはドーナツ状に形成された浸漬用遠赤外線放出プレート８０が配設されている。浸漬用浸漬用遠赤外線放出プレート８０も容器２０の開口部に配設されている遠赤外線放出プレート２４と同様の材料により形成されている。板厚を貫通する貫通孔８０Ａが所要間隔をあけて散点的に形成されている。貫通孔８０Ａにより、容器２０に収容されている水との接触面積が増加すると共に、容器２０内への配設時における水抜き孔としても作用する。浸漬用遠赤外線放出プレート８０の中央部分には水を加熱するための加熱手段４０と、加熱手段４０の外周を囲む状態にすることで、容器２０内の水の一部を加熱し易い（ハーブ３２の成分が抽出し易い）状態にするための筒体８２が配設されている。筒体８２の側壁には筒体８２の板厚方向に貫通する貫通孔に形成されたスリット（図示せず）が設けられているので、筒体８２の内部と容器２０とは連通状態にある。
【００１４】
筒体８２は図３に示すように、容器２０の水に浸漬している部分の径寸法が等しく形成された単純な筒状部８２Aをなしていて、容器２０の水の液面よりも上方側部分については、筒体８２の上端部に近づくに連れて径寸法が徐々に拡大するテーパー部８２Ｂに形成されている。筒体８２もまた遠赤セラミックス材により形成されている。このように容器２０内の水は、まず、容器２０内の水のうち筒体８２と加熱手段４０との間の部分が加熱手段４０により加熱される。加熱された容器２０内の水は、ハーブ３２の成分および遠赤外線効果が付与されたスチームとなり、筒体８２の形状に沿って拡散しながら上昇する。
以上のようにしてハーブ成分と遠赤外線効果が付与されたスチームは、後述する超音波発振装置５０によりミスト化されたハーブ成分を含むミストと混合された状態となり、容器２０の上部開口部分に配設されている遠赤外線放出プレート２４を通過することでさらに遠赤外線効果が付与された後、スチーム浴装置１０の外部に放出される。
【００１５】
図３，図４に示すように、筐体１２内において容器２０と抽出溶媒補給容器６０とを連通する連通路７０が配設された領域の中途位置には、抽出溶媒補給容器６０から供給される水が一旦貯留される抽出溶媒貯留部９０が配設されている。抽出溶媒貯留部９０は内部に一旦貯留した水を連通路７０と取込部２３を経由して容器２０に注水可能に形成されている。このように抽出溶媒補給容器６０の水は、超音波発振装置５０が配設された抽出溶媒貯留部９０を経由した後に容器２０に供給される。
連通路７０は、抽出溶媒補給容器６０と抽出溶媒貯留部９０とを連通する第1連通路７２と、抽出溶媒貯留部９０と容器２０の取込部２３に連通する第２連通路７４とにより構成されている。
【００１６】
抽出溶媒貯留部９０の上面には仕切板９２が配設されている。仕切板９２により区分された上側の空間は、容器２０と連通する連絡ダクト２９により容器２０の溶液が流入する溶液流入部９４に形成されている。本実施形態における連絡ダクト２９は、高さが異なる二段に配設されている。連絡ダクト２９のうち上段側の連絡ダクト２９Ａは、抽出溶媒貯留部９０の超音波発振装置５０によりミスト化されたハーブ成分と遠赤外線効果を含んだミストを再び容器２０内に供給するためのものである。上段側の連絡ダクト２９Ａの配設高さ位置は、筒体８２の上端部高さ位置とほぼ同じ高さ位置になっている。
【００１７】
抽出溶媒貯留部９０の内部空間には超音波発振装置５０が配設されている。超音波発振装置５０は少なくとも表面の一部が抽出溶媒貯留部９０にあらわれるようにして配設されている。本実施形態においては、抽出溶媒貯留部９０の底部に振動板５２をあらわした状態で２台の超音波発振装置５０，５０を配設している。超音波発振装置５０，５０の振動板５２，５２から発振した超音波振動は、抽出溶媒貯留部９０内の水を介して仕切板９２に伝播させている。
【００１８】
図２と図３のそれぞれに示すように、抽出溶媒補給容器６０から供給された水は、第１連通部７２により抽出溶媒貯留部９０に供給される。超音波発振装置５０，５０の振動板５２，５２が抽出溶媒補給容器６０から供給された低温（室温程度）の水と直接接触していることにより、超音波発振装置５０，５０は水により常に冷却された状態になる。これにより超音波発振装置５０の製品寿命を長くすることができる。また超音波発振装置５０が作動することにより振動音が発生することになるが、抽出溶媒貯留部９０に貯留されている水に振動音を吸収させることもでき、スチーム浴装置１０を静かに運転することができる。
【００１９】
また、スチーム浴装置１０を連続的に使用していると、容器２０から流入してくる加熱された水の熱量が抽出溶媒貯留部９０に貯留されている水に熱伝導することにより、水温が高くなってしまう。しかしながら、容器２０の水量が一定量を下回ると、抽出溶媒貯留部９０に貯留されていた水が第２連通部７４と取込部２３を介して容器２０に供給されると同時に、抽出溶媒補給容器６０からは室温に近い温度の水が第１連通部７２から抽出溶媒貯留部９０に新たに供給される。
【００２０】
このように、超音波発振装置５０を熱から保護するために低温の水が必要な抽出溶媒貯留部９０には抽出溶媒補給容器６０からの水が直接供給され、抽出溶媒貯留部９０において加熱されてしまった水は、ハーブ成分を抽出するための高温なお湯が必要な容器２０に供給される。このように、抽出溶媒補給容器６０に室温程度の温度で貯留されていた水は、超音波発振装置５０の冷却水として用いた後、水温を高めた後に、高温の水が必要となる容器２０に供給することができるため、スチーム浴装置１０における熱エネルギーを再利用することができる。これにより超音波発振装置５０の寿命を延ばすと共に、加熱手段４０の運転に必要となるエネルギー代を大幅に節約することができるため、スチーム浴装置１０のランニングコストを大幅に削減することが可能になる。
【００２１】
連絡ダクト２９を介して容器２０から流入してきた溶液は、超音波発振装置５０から発振された超音波を水と仕切板９２を介して伝播させた超音波振動によりミスト化される。溶液流入部９４には送風ファン１３０からの送風を流入させるための送風ダクト１００が連結されていて、送風ファン１３０は超音波発振装置５０の動作と連動して作動するように設定されている。送風ダクト１００は、送風ファン１３０からの送風を溶液流入部９４と連絡ダクト２９の中間位置に流入させる際に、仕切板９２側に負圧を発生させることができる配置で連結されている。
超音波振動により微粒化された抽出溶液のミストは、送風ファン１３０からの送風により上段側の連絡ダクト２９Ａを介して容器２０に戻された後、加熱手段４０により得られたスチームと混合された後にスチーム浴装置１０の外部に放出される。この際、溶液流入部９４の下方部分（仕切板９２の直上位置）で発生したミストは負圧の作用により巻き上げられるようにして上段側の連絡ダクト２９Ａに送り出される。
【００２２】
また、下段側の連絡ダクト２９の側壁には、水位センサ２７が配設されている。水位センサ２７が水位低下を感知すると、図示しない制御部が加熱手段４０と超音波発振装置５０の動作を停止するように設定されている。
【００２３】
また、図５に示すように、スチーム浴装置１０には容器２０内の排水と容器２０内の洗浄を行う排水洗浄装置１１０が配設されている。排水洗浄用装置１１０と容器２０は送水チューブ１１２により接続されていて送水チューブ１１２の中途部には送水ポンプ１１４が配設されている。送水ポンプ１１４の動作は、制御部がスイッチ１２０からの信号に基づいて制御している。排水洗浄装置１１０には送水チューブ１１２を筐体１２から分離させるための分離キャップ１１６が形成されている。分離キャップ１１６は筐体１２に形成された図示しないネジ部と螺着可能に形成されている。
【００２４】
容器２０内の不要な水を排水する際には、分離キャップ１１６を筐体１２から取り外し、送水チューブ１１２の先端を図示しないキャッチタンクに接続する等して容器２０内の排水を行う。排水を行う際には送水ポンプ１１４を用いても良い。そして容器２０内を洗浄する際には、水を容器２０に補給し、分離キャップ１１６を筐体１２に螺着させた状態で、送水ポンプ１１４を作動し、容器２０の清浄な水を送水ポンプ１１４により循環することで容器２０内に渦流を形成する。送水ポンプ１１４からの水は容器２０底部に接続されている送水チューブ１１２から容器２０に送り込まれる。送水チューブ１１２は送水チューブ１１２から送り込まれた水の流れ方向が容器２０の内周面のうちいずれかの面と平行となるように配設されている。本実施形態のように、容器２０の内周面が曲面である場合には、容器２０に送り込まれる水の方向を容器２０の内周面の接線方向と平行になるように送水チューブ１１２を接続すれば好適である。
【００２５】
このようにハーブ成分が抽出されていない清浄な水を用いて容器２０内で定期的に渦流を発生させることで容器２０の汚れの付着を軽減することができ、清潔な状態で使用することができる。容器２０を洗浄する際において容器２０の水にクエン酸を溶解させた状態で循環させれば、より好適に容器２０を洗浄することができる。
【００２６】
また、容器２０内の排水動作や洗浄動作を制御するスイッチ１２０は、抽出溶媒補給容器６０が筐体１２に収容されている状態では、スイッチ１２０の表面が覆われているので、抽出溶媒補給容器６０を筐体１２から取り外さない限りは操作することができないようになっている。これにより、スイッチ１２０の誤操作を防止することができるので、不本意な排水動作や洗浄動作を防ぐことができる。
また、排水時および洗浄時には、加熱手段４０、超音波発振装置５０等の他の機器への電源供給はストップしている。
【００２７】
次に、以上に説明したスチーム浴装置１０の動作について説明する。
まず、メッシュ状の袋に収容したハーブ３２を容器２０の収容部２２に収容する。次に容器に水（またはお湯）を入れた後、加熱手段４０のスイッチ（図示せず）を入れて、ハーブ３２の成分を水に抽出して抽出液（溶液）を生成する。容器２０内の水が新しい状態のときは、水が加熱手段４０により９０℃以上（ハーブ成分を抽出することができる温度）に加熱されるまで超音波発振装置５０のスイッチは切っておくことが好ましい。必要に応じて、溶液流入部９４に流入している水温に連動して超音波発振装置５０および送風ファン１３０の動作をオンオフする温度連動スイッチを容器２０、連絡ダクト２９または溶液流入部９４のいずれかに配設しておけば好都合である。
【００２８】
容器２０内の水が十分加熱（９０℃以上）されハーブ成分抽出液（溶液）を生成したら、超音波発振装置５０のスイッチを入れて超音波発振装置５０を作動させる。超音波発振装置５０に電源を印加すると図示しない送風ファン１３０にも電源が印加される。
容器２０に配設された下段側の連絡ダクト２９からは溶液流入部９４に抽出液が流入し、超音波発振装置５０から発振される超音波が仕切板９２を介して抽出液に付与されてミスト化される。ハーブ成分を含むミストは、送風ダクト１００からの送風により上段側の連絡ダクト２９を経由して容器２０に戻される。上段側の連絡ダクト２９Ａの流路部分の上端位置は筒体８２の上端の高さ位置で容器２０に接続しているので、加熱手段４０により加熱されることにより得られたスチームと混合された状態でスチーム浴装置１０の外部に放出される。
【００２９】
このようにして放出されるハーブ成分を含むミストおよびスチームは、容器２０内で加熱された際に、浸漬用遠赤外線放出プレート８０と遠赤外線を放出するセラミックス材により形成された筒体８２に加熱した状態で接触していることに加え、容器２０の上部開口部に配設されている遠赤外線放出プレート２４に接触した後にスチーム浴装置１０から放出されているので、ハーブ成分を含むだけでなく、遠赤外線効果が十分に付与されたミストとスチームの混合体とすることができるのである。
【００３０】
以上に、実施形態に基づいて本願発明にかかるスチーム浴装置について詳細に説明してきたが、本発明のスチーム浴装置は以上に説明した実施形態に限定されるものではなく、発明の要旨を変更しない範囲において各種の改変が可能であるのはもちろんである。
例えば、以上の実施形態においては、超音波発振装置５０を２台配設しているが、超音波発振装置５０の配設数は特に限定されるものではなく、必要とされるミストの量に応じて配設数は適宜調整可能である。
【００３１】
また、超音波発振装置５０は振動板５２の部分のみを抽出溶媒貯留部９０の水に接触させているが、超音波発振装置５０全体を抽出溶媒貯留部９０の水に浸漬させた状態で配設することももちろん可能である。この形態によれば、超音波発振装置５０の防水を確実に行う必要があるものの、超音波発振装置５０の熱および作動音を抽出溶媒貯留部９０の水に吸収させることができるため、超音波発振装置５０の製品寿命が延び、さらに低コストでスチーム浴装置１０の利用ができ、スチーム浴装置１０の利用時における騒音もさらに抑えることができるため好都合である。
【００３２】
また、本実施形態においては、連絡ダクト２９を高さの異なる上下二段に配設しているが、太径の連絡ダクト２９を一本のみ配設する形態としても良い。この形態を採用する場合においては、連絡ダクト２９の流路面上端の高さ位置は筒体８２の上端部高さ位置と同程度の高さ位置にしておくことがミストとスチームを混合させる上で好都合であることはいうまでもない。
【図面の簡単な説明】
【００３３】
【図１】本実施形態におけるスチーム浴装置の平面図である。
【図２】本実施形態におけるＣ−Ｃ断面位置を示す平面図である。
【図３】図１中のＡ−Ａ線における断面図である。
【図４】図１中のＢ−Ｂ線における断面図である。
【図５】図２中のＣ−Ｃ線における断面図である。
【符号の説明】
【００３４】
１０  スチーム浴装置
１２  筐体
２０  容器
２２  収容部
２３  取込部
２４  遠赤外線放出プレート
２４Ａ  ヒーター
２５  排水ドレン
２６  蓋
２７  水位センサ
２９  連絡ダクト
２９Ａ  上段側の連絡ダクト
３２  ハーブ（抽出対象物）
４０  加熱手段
５０  超音波発振装置
５２  振動板
６０  抽出溶媒補給容器
７０  連通路
７２  第１連通路
７４  第２連通路
８０  浸漬用遠赤外線放出プレート
８０Ａ  貫通孔
８２  筒体
８２Ａ  筒状部
８２Ｂ  テーパー部
９０  抽出溶媒貯留部
９２  仕切板
９４  溶液流入部
１００  送風ダクト
１１０  排水洗浄装置
１１２  送水チューブ
１１４  送水ポンプ
１１６  分離キャップ
１２０  スイッチ
１３０  送風ファン
【図１】
2009034298.tif 000003
【図２】
2009034298.tif 000004
【図３】
2009034298.tif 000005
【図４】
2009034298.tif 000006
【図５】
2009034298.tif 000007